Podtech/llm-jp-corpus-v4-ja_patent huggingface dataset:
【手続補正書】
【提出日】平成18年5月19日(2006.5.19)
【手続補正１】
【補正対象書類名】明細書
【補正対象項目名】特許請求の範囲
【補正方法】変更
【補正の内容】
【特許請求の範囲】
【請求項１】  次の式を有する化合物であって、
【化１】
2002516276.tif 000001
ＸおよびＹは、Ｈ、アルキル、アルコキシ、アリール、置換されたアリール、ヒドロキシ、ハロゲン、アミノ、アルキルアミノ、ニトロ、シアノ、ＣＦ3、ＯＣＦ3、ＣＯＮＨ2、ＣＯＮＨＲおよびＮＨＣＯＲ1からなる群より独立に選択され、
Ｒは、Ｈ、ＣＨ3、Ｃ2Ｈ5、Ｃ3Ｈ7、Ｃ4Ｈ9、ＣＨ2Ｐｈ、およびＣＨ2Ｃ6Ｈ4−Ｆ（ｐ−）からなる群より選択され、
Ｒ1およびＲ2は、Ｈ、アリール、置換されたアリール、シクロアリール、置換されたシクロアリール、多環シクロアリール、ベンジル、置換されたベンジル、アルキル、シクロアルキル、置換されたシクロアルキル、多環シクロアルキル、縮合環脂肪族、シクロプロピル、置換されたシクロプロピル、シクロブチル、置換されたシクロブチル、シクロペンチル、置換されたシクロペンチル、シクロヘキシル、置換されたシクロヘキシル、シクロヘプチル、置換されたシクロヘプチル、ビシクロヘプチル、ビシクロオクチル、ビシクロノニル、置換されたビシクロアルケニル、アダマンチル、置換されたアダマンチル、および複素環からなる群より独立に選択され、Ｒ1およびＲ2の少なくとも１つは芳香族基であり、ＲがＨであるときにはＲ1およびＲ2の両方がフェニル基であることはない、化合物。
【請求項２】  Ｒ1およびＲ2に対する置換は、アルキル、アリール、ＣＦ3、ＣＨ3、ＯＣＨ3、ＯＨ、ＣＮ、ＣＯＯＲおよびＣＯＯＨからなる群より選択される、請求項１に記載の化合物。
【請求項３】  哺乳動物における増加したＩｇＥレベルに関するアレルギー反応を治療または予防するための薬の調製における、請求項１および２のいずれかに記載の化合物の使用。
【請求項４】  哺乳動物における喘息を治療または予防するための薬の調製における、請求項１および２のいずれかに記載の化合物の使用。
【請求項５】  化合物は、
【化２】
2002516276.tif 000002
【化３】
2002516276.tif 000003
【化４】
2002516276.tif 000004
【化５】
2002516276.tif 000005
【化６】
2002516276.tif 000006
【化７】
2002516276.tif 000007
【化８】
2002516276.tif 000008
【化９】
2002516276.tif 000009
【化１０】
2002516276.tif 000010
【化１１】
2002516276.tif 000011
【化１２】
2002516276.tif 000012
【化１３】
2002516276.tif 000013
【化１４】
2002516276.tif 000014
【化１５】
2002516276.tif 000015
【化１６】
2002516276.tif 000016
【化１７】
2002516276.tif 000017
【化１８】
2002516276.tif 000018
【化１９】
2002516276.tif 000019
【化２０】
2002516276.tif 000020
【化２１】
2002516276.tif 000021
【化２２】
2002516276.tif 000022
【化２３】
2002516276.tif 000023
【化２４】
2002516276.tif 000024
からなる群より選択される、請求項１に記載の化合物。
【請求項６】
【化２５】
2002516276.tif 000025
【化２６】
2002516276.tif 000026
【化２７】
2002516276.tif 000027
【化２８】
2002516276.tif 000028
【化２９】
2002516276.tif 000029
【化３０】
2002516276.tif 000030
からなる群より選択される、化合物。
【請求項７】  次の式
【化３１】
2002516276.tif 000031
によって表わされる、化合物。
【請求項８】  哺乳動物における増加したＩｇＥレベルに関するアレルギー反応を治療または予防するための医薬組成物であって、請求項１に記載の化合物の１つまたはそれ以上を含む、医薬組成物。
【請求項９】  Ｒ1およびＲ2に対する置換は、アルキル、アリール、ＣＦ3、ＣＨ3、ＯＣＨ3、ＯＨ、ＣＮ、ＣＯＯＲおよびＣＯＯＨからなる群より選択される、請求項８に記載の医薬組成物。
【請求項１０】  前記アレルギー反応に関する少なくとも１つの症状を減少させる活性を有する少なくとも１つの付加的な成分をさらに含む、請求項８に記載の医薬組成物。
【請求項１１】  前記付加的な成分は、短時間作用性のβ2−アドレナリン様アゴニスト、長時間作用性のβ2−アドレナリン様アゴニスト、抗ヒスタミン、ホスホジエステラーゼ阻害剤、抗コリン作用剤、コルチコステロイド、炎症媒体放出阻害剤およびロイコトリエン受容体アンタゴニストからなる群より選択される、請求項１０に記載の医薬組成物。
【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】  哺乳類において分泌物浄化力を増加させ且つ繊毛運動頻度を増加させるための、式Ｉの化合物：
【化１】
2002516273.tif 000001
または医薬上許容されるそれの塩、エステルまたはアミドを含んで成る医薬組成物。
【請求項２】  哺乳類において慢性閉塞性肺疾患を治療するための、分泌物の浄化および除去を増加させるのに有効な請求項１に記載の式Ｉの化合物の量を含んで成る医薬組成物。
【請求項３】  哺乳動物において急性および慢性静脈洞炎を治療するための、請求項１に記載の式Ｉの化合物の分泌物浄化有効量を含んで成る医薬組成物。
【請求項４】  哺乳類において深部痰検体の喀出を促進するための、検体試料の喀出を促進するのに有効な請求項１に記載の式Ｉの化合物の量を含んで成る医薬組成物。
【請求項５】  咳浄化力を増加させるための、請求項１に記載の式Ｉの化合物の有効量を含んで成る医薬組成物。
【請求項６】  肺の画像診断を強化するための、画像を得る前に肺からの分泌物を浄化するのに有効な請求項１に記載の式Ｉの化合物の量を含んで成る医薬組成物。
【請求項７】  肺炎の予防のための、分泌物浄化力を増加させるのに有効な請求項１に記載の式Ｉの化合物の量を含んで成る医薬組成物。
【請求項８】  中耳炎の治療のための、請求項１に記載の式Ｉの化合物の有効量を含んで成る医薬組成物。
【請求項９】  吸引した生物学的闘争剤の浄化を増加させるための、請求項１に記載の式Ｉの化合物の有効量を含んで成る医薬組成物。
【請求項１０】  ドライアイ症の治療のための、式Ｉのエステルまたはアミドの有効量を含んで成る医薬組成物。
【請求項１１】  網膜剥離の治療のための、式Ｉのエステルまたはアミドの有効量を含んで成る医薬組成物。
【請求項１２】  医薬上許容される担体と共に、請求項１に記載の式Ｉの化合物またはそれの医薬上許容される塩、エステルもしくはアミドを含んでなる医薬組成物。
【請求項１３】  請求項１に記載の式Ｉの化合物のアミドであって、シトシンアミノ基がＮＨＣＯＲであり、ここでＲがＣ1-6 アルキル、フェニル、またはハロゲンにより、Ｃ1-6 アルキルにより、Ｃ1-6 アルコキシにより、ニトロによりもしくはヒドロキシルにより置換されたフェニルである誘導体からなる群より選ばれる、式Ｉの化合物のアミド。
【請求項１４】  ｎ−プロピル、ｔ−ブチル、メトキシメチル、ベンジル、フェノキシメチル、フェニル、メタンスルホニル、Ｌ−バリル、Ｌ−イソロイシルおよびヘミスクシネートからなる群より選ばれる、請求項１に記載の式Ｉの化合物のエステル。
【請求項１５】  Ｐ1−（シチジン５′−）−Ｐ4−（ウリジン５′−）四リン酸テトラアンモニウム塩。
【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  免疫原性組成物であって、（ｉ）第１のキャリアに結合体化される血清群Ｃ髄膜炎菌オリゴ糖、および（ｉｉ）血清群Ｂ髄膜炎菌外膜タンパク質を含有し、ここで、（ｉ）の該第１のキャリアは、（ｉｉ）の該血清群Ｂ髄膜炎菌外膜タンパク質ではない、免疫原性組成物。
【請求項２】  前記第１のキャリアが、タンパク質、多糖、ポリ乳酸、ポリグリコール酸、ポリマーアミノ酸、アミノ酸コポリマー、脂質凝集物、および不活性なウイルス粒子からなる群より選択される、請求項１に記載の免疫原性組成物。
【請求項３】  前記第１のキャリアがタンパク質である、請求項２に記載の免疫原性組成物。
【請求項４】  前記第１のキャリアがＣＲＭ197である、請求項３に記載の免疫原性組成物。
【請求項５】  前記血清群Ｂ髄膜炎菌外膜タンパク質が、プロテオリポソーム小胞として存在する、請求項１に記載の免疫原性組成物。
【請求項６】  前記組成物により誘導される免疫応答が、成分（ｉ）または成分（ｉｉ）単独で誘導される免疫応答とは有意には異ならない、請求項１〜５のいずれかに記載の免疫原性組成物。
【請求項７】  前記組成物がアジュバントを含有する、請求項１〜６のいずれかに記載の免疫原性組成物。
【請求項８】  前記アジュバントが、水酸化アルミニウムまたはＭＦ５９である、請求項７に記載の免疫原性組成物。
【請求項９】  医薬としての使用のための、請求項１〜８のいずれかに記載の組成物。
【請求項１０】  髄膜炎菌の血清群ＢおよびＣに対して個体をワクチン接種するための医薬の製造における、（ｉ）第１のキャリアに結合体化される血清群Ｃ髄膜炎菌オリゴ糖、および（ｉｉ）血清群Ｂ髄膜炎菌外膜タンパク質の使用であって、（ｉ）の該第１のキャリアは、（ｉｉ）の該血清群Ｂ髄膜炎菌外膜タンパク質ではない、使用。
【請求項１１】  請求項１〜８のいずれか１項に記載の免疫原性組成物を含有する、ワクチン。
【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】個体においてサイズが1mmより大きい固形腫瘍を殺すための医薬組成物であって、アルファ粒子放出同位体を有する構成物を薬学的効果量で含み、該構成物が0.1mCi/mgから50mCi/mgの特異的活性を有し、該構成物の投与量が、少なくとも１回投与によって、腫瘍細胞毎に最低一つのアルファ粒子の飛跡を運搬する量であることを特徴とする医薬組成物。
【請求項２】 前記構成物が、抗体、抗体フラグメント、サイトカインおよびレセプターリガンドからなる群より選択されることを特徴とする請求項１記載の医薬組成物。
【請求項３】 前記アルファ粒子放出同位体が、ビスマス−213、ビスマス−212、アクチニウム−225、ラジウム−223、鉛−212、タービウム−149、フェルミウム−155およびアスタチン−211からなる群より選択されることを特徴とする請求項１または２記載の医薬組成物。
【請求項４】 前記投与量が、0.1mg/m2から50mg/m2であることを特徴とする請求項１から３いずれか１項記載の医薬組成物。
【請求項５】 前記構成物が、個体において非悪性細胞を殺すことを特徴とする請求項１から４いずれか１項記載の医薬組成物。
【請求項６】 前記非悪性細胞が、ウィルス感染細胞、自己免疫細胞、リンパ系細胞、正常骨髄細胞または異常増殖正常細胞であることを特徴とする請求項５記載の医薬組成物。
【請求項７】 前記非悪性細胞が、腫瘍性疾患、ウィルス感染、自己免疫疾患、前立腺肥大症、冠動脈疾患または血管閉鎖性疾患において生じたものであることを特徴とする請求項５または６記載の医薬組成物。
【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】  所定路に沿って搬送されるカートンに粒状物を含む液体製品を充填する充填システムであって、
所定路の上側に配置され、周方向凹所部を有する分配端部と入口端部とを有する充填管と、
充填管を通って制御機構に延びるリンク機構を有し、充填管の周方向凹所部にかみ合う切断縁を有するシーリングコーンと、
ポンプ室を有するポンプ機構および充填管に流体連通する移送管と、
粒状物を含む液体製品を保持し、移送管およびポンプ室に流体連通する製品タンクと、
製品タンクと移送管との間に並置され、製品タンクから移送管への粒状物を含む液体製品の流れを制御する刃形仕切弁とを備える充填システム。
【請求項２】  製品タンクは、粒状物を含む液体製品を攪拌する手段を有する請求項１に記載の充填システム。
【請求項３】  シーリングコーンは、カートンに充填する開位置と閉位置とを有し、切断縁は、シーリングコーンが閉位置にあるときに、充填管の周方向凹所部に係合する請求項１に記載の充填システム。
【請求項４】  シーリングコーンの切断縁と充填管の周方向凹所部との係合は、充填管からの粒状物を含む液体製品の流れをほぼ防止する請求項１に記載の充填システム。
【請求項５】  成形し、充填し、密封する包装機械の所定路に沿って搬送される一連のカートンに粒状物を含む液体製品を充填する方法であって、
粒状物を含む液体製品を保持する製品タンクとポンプ室との間に並置された刃形仕切弁を開き、粒状物を含む液体製品が移送管を通ってポンプ室内に流れるのを許容し、
刃形仕切弁を閉じ、
シーリングコーンを下降することにより、移送管を介してポンプ室に流体連通する充填管の分配端部を開き、
ポンプ室と移送管と充填管と充填管の分配端部とを通って液体製品をカートン内に送り出し、
カートンに充填後、シーリングコーンを作動して充填管の分配端部を閉じ、シーリングコーンの切断縁を充填管の周方向凹所部に係合させる、方法。
【請求項６】  充填管の周りにカートンを持ち上げて、カートンに粒状物を含む液体製品をボトムアップ充填することを更に含む請求項５に記載の方法。
【請求項７】  成形し、充填し、密封する包装機械の所定路に沿って搬送される一連のカートンに粒状物を含む液体製品を充填する方法であって、
粒状物を含む液体製品を保持する製品タンクとポンプ室との間に並置された刃形仕切弁を開き、粒状物を含む液体製品が移送管を通ってポンプ室内に流れるのを許容し、
刃形仕切弁を閉じ、
シーリングコーンを下降することにより、移送管を介してポンプ室に流体連通する充填管の分配端部を開き、
ポンプ室と移送管と充填管と充填管の分配端部とを通って液体製品をカートン内に送り出し、
製品タンク内の粒状物を含む液体製品を攪拌して、液体製品の液体の周りに粒状物を分配する、方法。
【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】  ブロー成形法で製作された、特に高熱充てんされた液状の充填物のために使用するための熱可塑性プラスチックから成る容器である中空体であって、鉛直な壁範囲と、ほぼ水平に延びている上底若しくは固く締め付け可能な蓋と、該蓋に配置された少なくとも１つの充てん及び取り出し開口と、相応する下底とが設けられている形式のものにおいて、少なくとも、軸方向の壁範囲内に（ホース縦方向に）、互いに間隔をおいた多数のリブが専ら壁の内面に構成されており、壁形状は外面においては一様に滑らかであって、変化せしめられずに構成されており、互いに隣接する壁範囲が交互に異なった大きさの壁厚を有しており、より薄い壁からより厚い壁への移行部及びより厚い壁からより薄い壁への移行部が壁内面において波形に、一様な曲線形状で増大及び減少して、構成されていることを特徴とする、熱可塑性プラスチックから成る中空体。
【請求項２】  ブロー成形法で製作されており、その際リング形の押し出しノズルから押し出されたホース形のパリソンがブロー型内でブロー成形され、その際ホース形のパリソンが、相応するノズル制御によって軸方向で均一に増大する壁厚に調整されており、相応するノズル制御によって上底及び下底の、型分割平面に対して９０°に位置する容器範囲のための最高の延伸度を有するホース範囲内で最大の壁厚に調整されており、相応するノズル制御によってホース形のパリソンの内面及び/又は外面に隆起せしめられた縦リブが次のように、すなわち側方若しくは鉛直の壁範囲のための滑らかな表面を備えたブロー型内で完全にブロー成形された容器が少なくとも鉛直の容器壁において軸方向で平行に延びる、隣接した、異なった大きさの壁厚を備えたストリップ形の壁範囲を有しているように、調整されている、請求項１記載の中空体。
【請求項３】  より厚いストリップ形の壁範囲の壁厚が同じ厚さに、かつより薄いストリップ形の壁範囲の壁厚が同じ薄さに構成されており、２つのリブの間のより薄い壁範囲の幅がリブの幅の少なくともほぼ２倍あるいは複数倍である、請求項１又は２記載の中空体。
【請求項４】  隆起部Ａ（＝リブ、波頂部）の高さ（＝壁厚）の、より薄い壁範囲Ｂ（＝波谷部）に対する比がＡ（Ｈ）：Ｂ（Ｈ）＝１．１：１〜１．５：１の範囲である、請求項１、２又は３記載の中空体。
【請求項５】  リブの数が約５９０ｍｍの容器直径の場合に２０〜６０，有利には約３２である、請求項１から４までのいずれか１項記載の中空体。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】
シャシーを有する原動機付き車両のためのかじ取り装置であって、
かじ取りシャフトと、
前記かじ取りシャフトを支持するための手段と、
前記支持手段に接続され、少なくとも１つのすべり表面を有するブラケットと、
初期位置において前記ブラケットを前記シャシーに締付けるための手段とを含み、前記すべり表面は前記シャシーに部分的に重なり、前記かじ取り装置はさらに、
前記ブラケットを前記初期位置から変位位置に導くための手段と、
前記ブラケットにプレストレスを与えるための手段と、
前記シャシーに固定され、前記ブラケットに着脱可能に接続されるエネルギ吸収体とを含み、突発解除力がある場合、前記ブラケットが前記エネルギ吸収体から突発解除される、装置。
【請求項２】
前記初期位置の少なくとも一部領域において、前記締付け手段は、前記ブラケットが前記シャフト軸の方向に変位すると締付け力が軽減されるように締付け表面を備えた突発解除エレメントを含む、請求項１に記載の装置。
【請求項３】
前記シャフトを支持するための手段はガイドボックスである、請求項１に記載のかじ取り装置。
【請求項４】
前記プレストレス手段が、保持ブラケットと、前記エネルギ吸収体の対向する面との間に配置されるスペーサを含む、請求項１に記載のかじ取り装置。
【請求項５】
前記スペーサが隆起部として実現される、請求項４に記載のかじ取り装置。
【請求項６】
前記スペーサがシャフト軸の方向に設けられる、請求項４に記載のかじ取り装置。
【請求項７】
前記締付け手段が機械ねじを含む、請求項１に記載のかじ取り装置。
【請求項８】
前記機械ねじは約２０〜３０Ｎｍの締付けトルクを有する、請求項７に記載のかじ取り
装置。
【請求項９】
前記導く手段は、前記ブラケットの前記すべり表面上に形成された変位長さを有するスロットを含み、前記スロットは前記締付け手段を受ける、請求項１に記載のかじ取り装置。
【請求項１０】
前記スロットの前記変位長さは５０ｍｍである、請求項９に記載のかじ取り装置。
【請求項１１】
前記エネルギ吸収体が、前記ブラケットと前記シャシーとの間に装着された裂け枠である、請求項１に記載のかじ取り装置。
【請求項１２】
前記裂け枠が、前記ブラケットに接続された離脱エレメントを有するＵ字形を含む、請求項１１に記載のかじ取り装置。
【請求項１３】
前記ブラケットが、閉じられた上端部と開いた本体端部とを有するＵ字形の本体を有し、前記すべり表面が、閉じられた上端部に隣接したＵ字形の本体から垂直に延在する、請求項１に記載のかじ取り装置。
【請求項１４】
前記ブラケットが板金部材である、請求項１に記載のかじ取り装置。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】
シャシーを有する原動機付き車両のためのかじ取り装置であって、
シャフト軸（１）を有するかじ取りシャフトと、
前記かじ取りシャフトを導くガイドボックス（３）と、
前記ガイドボックスに締付けられた保持ブラケット（６）とを含み、前記ブラケットは前記シャフト軸（１）に沿って少なくとも１つのすべり表面（８）を有し、前記すべり表面（８）は前記シャシー（１８）に対して変位経路としてスロット（２０）を有し、前記かじ取り装置はさらに、
前記変位経路（２０）の初期位置において前記ブラケット（６）を軸方向に保持するための締付け手段と、
前記ブラケット（６）の前記すべり表面（８）によって前記シャシー（１８）に対して締付けられ、また、前記締付け手段によって前記シャシー（１８）に対して締付けられる、すべり表面（１２）を備えた裂け枠（７）と、
前記裂け枠（７）上の一対の切欠き路（１０）の間に配置される剥取り式細片とを含み、前記剥取り式細片は、一方の端部に、前記ブラケット（６）に固定される保持フラップ（９）を含む、装置。
【請求項２】
機械ねじ（１７）が、約２０〜３０Ｎｍの締付けトルクで前記シャフト軸（１）の両側に締結される、請求項１に記載の装置。
【請求項３】
前記初期位置の少なくとも一部領域において、前記締付け手段（１３，１６，１７）は、前記ブラケットが前記シャフト軸の方向に動かされると締付け力が軽減されるように、締付け表面（２２）を備える突発解除エレメント（１３，１４，２９，３０）を含む、請求項１に記載の装置。
【請求項４】  前記突発解除エレメント（１３，１４，２９，３０）が、好ましくは少なくとも２つの段（２９）を備える階段状の締付け表面（２９，２２）を含む、請求項３に記載の装置。
【請求項５】  変位の際にブラケット側の隆起部（２６，２７）がシャシー側の隆起部（２６′，２７′）からすべり落ちるように、前記突発解除エレメント（１３，１４，２９，３０）が、前記すべり表面（８）と前記シャシー（１８）との間に、前記初期位置
において対を成して上下に重なって配置される隆起部（２６，２６′，２７，２７′）を含む、請求項３に記載の装置。
【請求項６】
ネップ状の少なくとも２つの隆起部の対（２６，２６′，２７，２７′）が前記シャフト軸（１）の方向に設けられ、前記隆起部の間の表面（１２）が傾斜しており、前記締付け手段（１７）がその間に配置される、請求項５に記載の装置。
【請求項７】
前記締付け表面（２２）が環状円盤であり、上部円盤くさびシュー（１４）は前記ブラケット（６）に固定され、下部円盤はすべりシュー（１３）として前記締付け手段によって前記シャシー（１８）に据付固定される、請求項３に記載の装置。
【請求項８】
前記締付け表面（２２）の少なくとも１つが表面処理を施される、請求項３に記載の装置。
【請求項９】  
前記締付け手段が、前記シャフト軸（１）の両側に機械ねじ（１７）、すべりシュー（１３）およびクリンピング（１６）を含む、請求項１に記載の装置。
【請求項１０】  前記ブラケット（６）が前記ガイドボックス（３）を締付け、両側にすべり表面（８）と、前記すべりシュー（１３）の前記締付け手段と、前記クリンピング（１６）と、前記シャシー（１８）に締付け固定するための前記機械ねじ（１７）とを含む、請求項１に記載の装置。
【請求項１１】
前記ブラケット（６）内の前記すべり表面（８）が、前記締付け手段の一部（１３，１６，１７）を受容するための走行スロット（２０）を含む、請求項１に記載の装置。
【請求項１２】
前記ブラケット（６）が板金部材である、請求項１に記載の装置。
【請求項１３】
前記裂け枠（７）がエネルギ吸収体であり、機械ねじ（１７）で前記シャシー（１８）に据付固定される、請求項１に記載の装置。
【請求項１４】
前記ブラケット（６）が前記シャシー（１８）に対しばね弾性によってプレストレスを受けるように、スペーサエレメント（２６，２７）が前記締付け手段（１３，１６，１７）の領域に設けられる、請求項１に記載の装置。
【請求項１５】
ねじ締結（１７）の際に、ばね弾性による引張りが前記締付け手段（７，１７，１８，２１）において生じるように、スペーサエレメント（２６，２７）が前記ブラケットすべり表面（８）と対向する表面（７，１８）との間のねじ締結（１７）のために前記シャフト軸の方向に間隔を空けて配置される、請求項１に記載の装置。
【請求項１６】
前記スペーサエレメント（２６，２７）が、機械ねじ締結（１７）のために前記シャフト軸（１）の方向に両側に設けられる、請求項１５に記載の装置。
【請求項１７】
前記スペーサエレメントが隆起部であり、裂け枠（７）および／または前記ブラケットすべり表面（８）に押当てられる、請求項１６に記載の装置。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】
シャシーを有する原動機付き車両のためのかじ取り装置であって、シャフト軸を有するかじ取りシャフトと、前記かじ取りシャフトを導くためのガイドボックス（３）と、前記ガイドボックスに締付けることによって接続される保持ブラケット（６）とを含み、前記ブラケットは、前記シャシー（１８）に対する変位経路（２）を許容する少なくとも１つのすべり表面（８）を前記シャフト軸（１）に沿って有し、前記装置はさらに、締付け手段（１３，１６，１７）を含み、前記締付け手段（１３，１６，１７）は、前記ブラケットがシャフト軸方向（１９）において変位すると締付け力が軽減されるように、初期位置の少なくとも一部領域において、締付け表面（２２）を備える突発解除エレメント（１３，１４，２９，３０）を含み、前記装置はさらに、前記シャシー（１８）に対して固定されるエネルギ吸収体（９，１０）を介して接続される前記ブラケット（６）を含み、前記エネルギ吸収体は剥取り式フラップを含む、装置。
【請求項２】
前記初期位置の少なくとも一部領域における前記突発解除エレメント（１３，１４，２９，３０）が、前記すべり表面（８）に対して傾斜し、２°から１５°の範囲のくさび角度（１５）を成す締付け表面部材（１３，１４）を含む、請求項１に記載の装置。
【請求項３】
前記突発解除エレメント（１３，１４，２９，３０）が、階段状の締付け表面（２９，２２）を含む、請求項１に記載の装置。
【請求項４】
変位の際にブラケット側の隆起部（２６，２７）がシャシー側の隆起部（２６′，２７′）からすべり落ちるように、前記突発解除エレメント（１３，１４，２９，３０）が、前記初期位置において対を成して上下に重なって配置される隆起部（２６，２６′，２７，２７′）を前記すべり表面（８）と前記シャシー（１８）との間に含む、請求項１に記載の装置。
【請求項５】
少なくとも２つの隆起部の対（２６，２６′，２７，２７′）が設けられ、前記締付け手段（１７）がその間において前記シャフト軸（１）の方向に配置され、前記隆起部（２６，２６′，２７，２７′）はネップ状であり、前記隆起部の間の表面（１２）が傾斜している、請求項４に記載の装置。
【請求項６】
前記エネルギ吸収体（９，１０）が、一対の切欠き路（１０）の間にある剥取り式フラップ（９）である、請求項１に記載の装置。
【請求項７】
前記ブラケット（６）が前記ガイドボックス（３）を締付け、両側にすべり表面（８）と、前記シャシー（１８）に締付固定するための手段（１３，１６，１７）とを含む、請求項１に記載の装置。
【請求項８】
前記剥取り式フラップが、前記シャシー（１８）とブラケットすべり表面（６，８）との間に配置されるすべり表面（７，１２）を含む、請求項１に記載の装置。
【請求項９】
前記締付け表面（２２）が環状円盤であり、上部円盤（１４）は前記ブラケット（６）に固定され、下部円盤（１３）はすべりシュー（１３）として前記締付け手段によって前記シャシー（１８）に据付固定される、請求項７に記載の装置。
【請求項１０】
前記ブラケット（６）内の前記すべり表面（８）が、導かれた前記締付け手段の一部（１６，１７，１３）を受容するための走行スロット（２０）を含む、請求項１に記載の装置。
【請求項１１】
前記締付け表面（２２）の少なくとも１つが表面処理を施される、請求項１に記載の装置。
【請求項１２】
前記ブラケット（６）が板金部材である、請求項１に記載の装置。
【請求項１３】
前記エネルギ吸収体（９，１０）が裂け枠（７）であり、締付け手段（１７）によって直接前記シャシー（１８）に据付固定される、請求項１に記載の装置。
【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】
転写因子ＮＦ−κＢの活性化の阻害に有用な医薬品の製造を目的とする、式Ｉ
【化１】
2002516283.tif 000001
（式中、Ｒは水素またはＣＯＣＨ３である）
の化合物、またはその薬学上許容可能な塩またはプロドラッグの使用。
【請求項２】
転写因子ＮＦ−κＢの活性化またはＮＦ−κＢに依存する遺伝子の発現に関連した疾患の治療または予防のための医薬品の製造を目的とする、請求項１に記載の式Ｉの化合物、またはその薬学上許容可能な塩またはプロドラッグの使用。
【請求項３】
疾患が、炎症、喘息、成人呼吸窮迫症候群、免疫炎症または自己免疫疾患、関節症、敗血症性ショック、癌、骨粗鬆症、移植拒絶反応、神経変性疾患、ウイルス感染症および再狭窄から選択される、請求項２に記載の使用。
【請求項４】
炎症の治療または予防のための医薬品の製造を目的とする、請求項１に記載の式Ｉの化合物、またはその薬学上許容可能な塩またはプロドラッグの使用。
【請求項５】
再狭窄の治療または予防のための医薬品の製造を目的とする、請求項１に記載の式Ｉの化合物、またはその薬学上許容可能な塩またはプロドラッグの使用。
【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  処置に対して耐性の重症型鬱病を患うか、または、患いやすい患者を処置するために使用する医薬組成物であって、非定型抗精神病薬である第１成分の有効量を含み、該医薬組成物はセロトニン再取り込み阻害剤である第２成分の有効量と一緒に該患者に投与することを特徴とする医薬組成物。
【請求項２】  処置に対して部分的に反応する重症型鬱病の患者を処置するために使用する医薬組成物であって、非定型抗精神病薬である第１成分の有効量を含み、該医薬組成物はセロトニン再取り込み阻害剤である第２成分の有効量と一緒に該患者に投与することを特徴とする医薬組成物。
【請求項３】  処置に対して耐性の重症型鬱病を患うか、若しくは、患いやすい患者、または、処置に対して部分的に反応する重症型鬱病の患者の処置に伴う有害な事象を減らすために使用する医薬組成物であって、非定型抗精神病薬である第１成分の有効量を含み、該医薬組成物はセロトニン再取り込み阻害剤である第２成分の有効量と一緒に該患者に投与することを特徴とする医薬組成物。
【請求項４】  第１成分が、オランザピン、クロザピン、リスペリドン、セルチンドール、クエチアピン、及び、ジプラシドンからなる群から選択され、そして、第２成分が、フルオキセチン、ベンラファキシン、シタロプラム、フルボキサミン、パロキセチン、セルトラリン、ミルナシプラン、及び、デュロキセチンからなる群より選択される、請求項１〜３のいずれか１項に記載の医薬組成物。
【請求項５】  第１成分化合物がオランザピンである、請求項１〜３のいずれか１項に記載の医薬組成物。
【請求項６】  第２成分化合物がフルオキセチンである、請求項４に記載の医薬組成物。
【請求項７】  化合物の投与が経口による、請求項１〜３のいずれかに記載の医薬組成物。
【請求項８】  有害な事象が、体重変化、性的不全、悪心、嘔吐、下痢、不眠、頭痛、及び、活性化からなる群より選択される、請求項３に記載の医薬組成物。
【請求項９】  オランザピンのフルオキセチンに対する重量割合が、1/5、6/25、12.5/25、25/50、17.5/50、及び、25/75からなる群より選択される、請求項１、２、３、５、または、６のいずれかに記載の医薬組成物。
【請求項１０】  処置に対して耐性の重症型鬱病の処置のための薬物の製造における、非定型抗精神病薬である第1成分の有効量の、セロトニン再取り込み阻害剤である第２成分の有効量と組み合わせた使用。
【請求項１１】  処置に対して部分的に反応する重症型鬱病の処置のための薬物の製造における、非定型抗精神病薬である第1成分の有効量の、セロトニン再取り込み阻害剤である第2成分の有効量と組み合わせた使用。
【請求項１２】  重症型鬱病、処置に対して耐性の重症型鬱病、または、処置に対して部分的に反応する重症型鬱病の処置に伴う有害な事象を減らすための薬物の製造における、非定型抗精神病薬である第1成分の有効量の、セロトニン再取り込み阻害剤である第2成分の有効量と組み合わせた使用。
【請求項１３】  処置に対して耐性の重症型鬱病を患うか、若しくは患いやすい患者、または処置に対して部分的に反応する重症型鬱病の患者を処置するために、または、重症型鬱病、処置に対して耐性の重症型鬱病、または、処置に対して部分的に反応する重症型鬱病の処置に伴う有害な事象を減らすために適合された医薬的組成物であって、活性成分として、非定型抗精神病薬、及び、セロトニン再取り込み阻害剤の組合せを含む組成物。
【手続補正書】
【提出日】平成18年5月16日(2006.5.16)
【手続補正１】
【補正対象書類名】明細書
【補正対象項目名】特許請求の範囲
【補正方法】変更
【補正の内容】
【特許請求の範囲】
【請求項１】  被験体におけるＣＤＡＤ、ＰＭＣ、下痢、またはＣ．ｄｉｆｆｉｃｉｌｅトキシンＢによって媒介される別の状態を処置または予防する組成物であって、該組成物は、薬学的に受容可能な不活性な支持体に、非ペプチジル適合性リンカーアームを介して共有結合した少なくとも１つのトキシンＢ結合性オリゴ糖配列の有効量を含み、ここで、該オリゴ糖配列はトキシンＢを結合し、そして該組成物が胃腸管から排出され得る、組成物。
【請求項２】  被験体におけるＣＤＡＤ、ＰＭＣ、下痢、またはＣ．ｄｉｆｆｉｃｉｌｅのトキシンＡおよびトキシンＢによって媒介される別の状態を処置または予防する組成物であって、該組成物は、不活性な支持体に非ペプチジル適合性リンカーアームを介して共有結合した少なくとも１つのトキシンＡ結合性オリゴ糖配列、および不活性な支持体に非ペプチジル適合性リンカーアームを介して共有結合した少なくとも１つのトキシンＢ結合性オリゴ糖配列の有効量を含み、ここで、該オリゴ糖支持体は該トキシンＡおよび該トキシンＢを結合し、そして該組成物が胃腸管から排出され得る、組成物。
【請求項３】  薬学的に受容可能なキャリアをさらに含む、請求項１または２に記載の組成物。
【請求項４】  前記オリゴ糖配列が２〜１０の糖単位を有する、請求項１〜３のいずれか１項に記載の組成物。
【請求項５】  前記オリゴ糖配列が２〜４の糖単位を有する、請求項１〜３のいずれか１項に記載の組成物。
【請求項６】  前記オリゴ糖配列が、αＧｌｃ（１−２）βＧａｌ、マルトース、セロビオース、イソマルトトリオース、イソマルトース、およびキトビオースからなる群より選択される、請求項１〜３のいずれか１項に記載の組成物。
【請求項７】  前記リンカーアームが、−（ＣＨ２）８Ｃ（Ｏ）−および−ＮＨ−（ＣＨ２）ｍ−ＮＨＣ（Ｏ）ＮＨ−からなる群より選択され、ここでｍが約２〜約１０の整数である、請求項１〜３のいずれか１項に記載の組成物。
【請求項８】  前記オリゴ糖配列が、トキシンＡおよびトキシンＢの両方を結合する、請求項２または３に記載の組成物。
【請求項９】  少なくとも２つのオリゴ糖配列が、同じ支持体に結合しており、該オリゴ糖配列の少なくとも１つがトキシンＡを結合し、そして該オリゴ糖配列の少なくとも１つがトキシンＢを結合する、請求項２または３に記載の組成物。
【請求項１０】  前記オリゴ糖配列が、αＧａｌ（１−３）βＧａｌ（１−４）βＧｌｃおよびαＧａｌ（１−６）αＧｌｃから選択されるオリゴ糖を含む、請求項２または３に記載の組成物。
【手続補正２】
【補正対象書類名】明細書
【補正対象項目名】００４３
【補正方法】変更
【補正の内容】
【００４３】
【表１】
2002516284.tif 000001
【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】
１種もしくはそれ以上のスピノシン類(spinosyns)に基く生成物で処理することを特徴とする種子および植物増殖物質の処理方法。
【請求項２】
１種もしくはそれ以上のスピノシン類で処理された種子または植物増殖物質を適用することを特徴とする動物性有害生物の抑制方法。
【請求項３】
１種もしくはそれ以上のスピノシン類を含んでなる有害生物防除剤を土壌に適用することを特徴とする動物性有害生物の抑制方法。
【請求項４】
植物に１種もしくはそれ以上のスピノシン類を含んでなる水を灌注することを特徴とする動物性有害生物の抑制方法。
【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  有害生物を防除するための組成物であって、１種以上のスピノシンとニコチン性アセチルコリン受容体の少なくとも１種の作用薬もしくは拮抗薬の相乗効果混合物を含んで成る組成物。
【手続補正書】
【提出日】平成18年6月1日(2006.6.1)
【手続補正１】
【補正対象書類名】明細書
【補正対象項目名】発明の名称
【補正方法】変更
【補正の内容】
【発明の名称】いたずらされたことが分かるようにするクロージャ
【手続補正２】
【補正対象書類名】明細書
【補正対象項目名】特許請求の範囲
【補正方法】変更
【補正の内容】
【特許請求の範囲】
【請求項１】  パンの塊の入ったプラスチック袋にいたずらされたことが分かるようにするシールを形成する方法であって、
前記袋の開口端に隣接した前記袋の首の一部を平らにする工程と、
前記平らになった部分の一部分を、一対の上側ベルト（４１，４３）と一対の下側ベルト（５１，５３）との間に架橋するように配置する工程と、前記上側ベルトの一方及び前記下側ベルトの一方とが前記袋の首の部分の両側に係合するように、前記上側ベルト及び下側ベルトは、水平に離間され、かつ、前記袋の首の部分が、前記上側の一対のベルトと前記下側の一対のベルトとの間に空間に架橋するように、前記上側ベルトの一方及び前記下側ベルトの一方が、前記袋の首の第二の部分に係合し、
前記袋のパネル（１２５ｘ、１２５ｙ）を一体に溶着させるために、ベルトの間を跨ぐ前記袋の表面に加熱した空気流を当てるように前記袋の首（１２５）を移動させて、前記袋内の製品（１２５ａ）が利用できないようにシールしたストリップを形成する工程と、
前記シール部分と前記製品との間の前記袋の平らになった部分をすぼめる工程と、
前記首に再使用可能なクロージャ（１１５）を取り付ける工程とを有する方法。
【請求項２】  ミシン目のストリップを形成するために、前記固着した部分と前記袋内の前記製品との間の前記袋に穴をあける（１４２ｐ、１５０ｐ）工程を更に有する請求項１の方法。
【請求項３】  約３１５°Ｆ〜６００°Ｆ（約１５７．２〜３１５．６℃）の温度まで熱せられた空気を流して、前記袋の表面に当てる工程と、
前記空気流が当たる前記袋の部分の両側に隣接した前記袋の部分を掴む工程とを更に有する、請求項１の方法。
【請求項４】  製品を収容するプラスチック袋にいたずらされたことが分かるようにするクロージャを形成する方法であって、
前記袋にミシン目の列（１３２）を形成する工程と、
一対の上側ベルト（４１，４３）と一対の下側ベルト（５１，５３）との間で、前記ミシン目の列に隣接した離間した位置で前記袋を掴む工程と、
前記上側ベルトの一方及び前記下側ベルトの一方が、前記袋の首の部分の両側に係合するように、前記上側ベルト及び下側ベルトは、水平方向に離間され、前記袋のネックの部分が、前記上側の一対のベルトと前記下側の一対のベルトとの間の空間を架橋するように、前記上側ベルトの一方及び前記下側ベルトの一方は、前記袋の首の第二の部分に係合し、
前記ミシン目の列（１３２）に隣接したシールしたストリップ（１３０）を形成するために、前記袋の前記掴んだ部分間に当たるように温度制御された空気を差し向ける工程とを有する方法。
【請求項５】  製品を収容するプラスチック袋にいたずらされたことが分かるようにするクロージャを形成するための装置であって、
前記袋の把持された部分に隣接して、前記袋にミシン目の列を形成するための手段（１４０ｐ、１５０ｐ）と、
一対の上側ベルト（４１，４３）及び一対の下側ベルト（５１，５３）と、
前記上側ベルト（４１）の一方及び前記下側ベルト（５１）の一方が、前記袋の首の部分の両側に係合するように、前記上側ベルト及び下側ベルトは、水平方向い離間し、
前記袋の首が、前記上側の一対のベルトと前記下側の一対のベルトとの間の空間に架橋するように、前記上側ベルトの一方（４３）及び前記下側ベルトの一方（５３）は、前記袋の首の第二の部分に係合し、
シールしたストリップを形成するために前記掴まれた部分間の前記袋の部分を溶着するために、前記掴まれた部分間の前記袋の表面に当たるように、温度制御された空気を送るための手段（１６０，１７０）とを有し、
前記ミシン目が、前記シールしたストリップを取り除くことができるように配置されている装置。
【請求項６】  前記掴まれた部分に隣接して前記袋にミシン目の列を形成するための手段が、
前記袋の首の一方の側に隣接して形成されたスロット（１５２Ｐ）を備えたアンビル（１５０Ｐ）と、
前記袋の首の他方の側に隣接して配置された切断歯（１４２Ｐ）を備えた穴あけホイール（１４０Ｐ）とを有し、
袋の首が前記アンビルと前記穴あけホイールとの間に移動すると、前記切断歯が前記袋に突き刺さって前記アンビルに形成されたスロットの中に侵入する、プラスチック袋にいたずらされたことが分かるようにするクロージャを形成するための請求項５記載の装置。
【請求項７】  前記袋の表面に当たるように、温度制御された空気を送るための手段が、
前記袋の首の上方に配置された上側マニホルド（１６５）と、
前記袋の首の下方に配置された下側マニホルド（１７５）と、
前記袋の首に当てるために前記上側マニホルド（１５５）と下側マニホルド（１７５）とを通じて空気を送るための手段（１６０，１７０）とを有し、
前記空気が、前記ミシン目の列にほぼ平行に延びるシールしたストリップを形成するために前記袋の首を溶かすのに十分な温度まで加熱される、プラスチック袋にいたずらされたことが分かるようにするクロージャを形成するための請求項５記載の装置。
【請求項８】  前記上側マニホルド及び前記下側マニホルドの各々に隣接して分流弁（２６２，２７２）を更に有し、
該分流弁が、該分流弁への空気の流れの中断無しに、前記上側マニホルド及び下側マニホルドからの空気流を偏向して空気を排気するように駆動可能である、請求項９のプラスチック袋にいたずらされたことが分かるようにするクロージャを形成するための請求項７記載の装置。
【請求項９】  製品を収容するプラスチック袋にいたずらされたことが分かるようにするクロージャを形成するための請求項５記載の装置であって、
製品を収容する、前記袋内の製品を越えて延びる首（１２５）を形成する開口端を備えたプラスチック袋を経路に沿って移動させるためのコンベヤ（３００）と、
前記袋が前記コンベヤによって移動すると、前記開放した首を平らにするための空気ノズル（２０９）と、
一対の上側ブラシ（２１０，２１４）及び一対の下側ブラシ（２１２，２１６）とを有し、
第１の前記一対の上側及下側のブラシが前記袋の前記平らになった首と係合して、前記コンベヤを横方向に横断して前記袋を引っ張り、第２の上側及び下側のブラシ（２１４，２１６）が、前記袋の首の後縁が前記第１の上側及び下側ブラシと係合しながら、前記コンベヤの長手方向に前記袋の前縁を移動させるための傾斜したブラシを備える
ことを特徴とする装置。
【手続補正３】
【補正対象書類名】図面
【補正対象項目名】図１８
【補正方法】変更
【補正の内容】
【図１８】
2002516789.tif 000001
【手続補正４】
【補正対象書類名】図面
【補正対象項目名】図１９
【補正方法】追加
【補正の内容】
【図１９】
2002516789.tif 000002
【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  第１の端部と第２の端部の間にある周囲壁を有する、濃縮薬剤を収容するためのバレルと、
前記バレルをその前記第２の端部において実質的に閉じるカバー構造とを含む濃縮薬剤を保存するための容器であって、
前記カバー構造は、オス型のルアー（Ｌｕｅｒ）ロックノズルを受けるためのテーパ状のルアー開口部をもつ供給ノズルと、オス型のルアーロックフィッティングのカラーのメスネジ形状に係合するための前記供給ノズルの外側を取り巻くオスネジ形状を含むルアーロックフィッティングとを有し、前記カバー構造は周囲側壁を含むカバー片を含み、前記周囲側壁は、前記バレルに係合するための内側方向を向いた部分およびバレルの内部と外部との間で流体を流通させることを可能にする穴を含み、前記バレルは前記第２の端部で外側方向に向いたフランジを含み、
前記カバー片は、（１）該カバー片が前記フランジ上の前記部分に保持されて前記穴が開口している第１の位置および（２）該カバー片が前記バレル上でロック位置に押されて前記穴が閉じる第２の位置との間で移動可能である、容器。
【請求項２】  前記バレルを、その第１の端部において閉じる密閉構造をさらに含む請求項１に記載の容器。
【請求項３】  前記密閉構造は、前記バレルと一体化ユニット構造となるよう形成された端壁を含む請求項２に記載の容器。
【請求項４】  前記カバー構造が別個のカバー片を含み、前記バレルが前記第２の端部において外側に向いた環状のフランジを含み、前記別個のカバー片が前記第２の端部において前記バレルにかぶさるように寸法決定された周囲側壁を含み、
前記周囲側壁は、ロック位置において前記カバー片を前記バレルに結合するように前記環状フランジを捕捉するための内側に向いた部材を含む請求項１に記載の容器。
【請求項５】  第１の端部および開口した第２の端部を有するバレルと、
第１の位置と第２の端部に対してロックされる第２の位置との間で移動可能なように開口した第２の端部に装着されるように構成されたホルダを含む構造を有する濃縮薬剤を保存するための容器であって、
前記ホルダは前記バレルの内側から前記バレルの外側へと蒸気を通気するための穴を含み、前記ホルダが前記第１の位置にある時に前記穴が開口し、前記ホルダが前記のロックされる第２の位置にある時に前記穴が閉じられ、前記ホルダは、前記バレルの前記開口した第２の端部にかぶさるように寸法決定された周囲側壁を含み、前記周囲側壁は、前記第１の位置にある前記ホルダを保持するために放射状に内側方向に向いた部分を有する、容器。
【請求項６】  前記放射状に内側方向に向いた部分が外側方向に向かって弾力的にゆがむことが可能なために前記ホルダが前記ロックされる第２の位置に移動させられることが可能となる請求項５に記載の容器。
【請求項７】  前記ホルダが上壁および上壁から延びる周囲側壁を含み、
前記周囲側壁は、前記ホルダが前記ロックされる第２の位置にあるときに前記上壁の近くにある前記環状フランジを捕捉するために内側に向いた壁部分を含んでいる請求項６に記載の容器。
【請求項８】  前記上壁が供給通路を有する請求項７に記載の容器。
【請求項９】  前記第１の端部が供給通路を有し、前記バレルが前記供給通路を規定する内側表面を有する前記第１の端部においてルアーロックフィッティングを有する請求項５に記載の容器。
【請求項１０】  前記ルアーロックフィッティングが、前記内側表面を規定するボア（内孔）を有するノズルを含むメスのルアーロックフィッティングを有し、前記ボアがルアーテーパおよび前記ノズルの外側に形成されたネジ形状を有する請求項９に記載の容器。
【請求項１１】  前記ホルダが、前記バレルの外側表面をグリップするように配列された側部を有する請求項５に記載の容器。
【請求項１２】  前記穴が、前記ホルダを通って規定される少なくとも１つの溝を有する請求項５に記載の容器。
【請求項１３】  前記バレルが前記開口第２端部の周囲にフランジを有し、前記ホルダが、前記バレルに係合するようにうねりのある内面をもつ周囲側壁を有する請求項５に記載の容器。
【請求項１４】  前記周囲側壁の前記うねりのある内面が、（１）前記ホルダが前記フランジ上に保持されるための前記フランジの外径よりも小さい内径の凸面環状壁部分、および（２）前記上壁に近接して配置され、前記ホルダが前記ロックされた第２の位置にあるときに前記上壁に近接した前記フランジを捕捉するため、前記フランジの直径よりも小さな最小限の内径をもつ第２の凸面環状壁部分を有する請求項１３に記載の容器。
【請求項１５】  第１の端部と第２の端部の間で周囲側壁を有する、濃縮薬剤を収容するためのバレルと、
前記第２の端部に装着されるよう構成されたカバー構造とを含む濃縮薬剤を保存するための容器であって、
前記カバー構造は、前記バレルにおいて第１の位置からロックされた第２の位置に移動可能であり、前記カバー構造は、オスのルアーロックノズルを受けるためのテーパ状のルアー開口部をもつ供給ノズルを含むルアーロックフィッティングを有し、前記カバー構造は、上壁およびそこから延びて前記第２の端部において前記バレルにかぶさるように構成された環状の周囲側壁を有するカバー片を含み、前記バレルが前記第２の端部において外側方向に向いた環状のフランジを有し、前記カバー片が上壁から延びる環状のリング、前記上壁、環状の側壁、および前記第２のロックされる位置にあるときに前記環状のフランジを受けて前記カバー片を前記バレルに結合させるための着座を規定する環状のリングを含む、容器。
【請求項１６】  前記周囲環状側壁が、前記カバー片を前記バレルの前記第１の位置に保持するように内側方向に向いた部分を含む請求項１５に記載の容器。
【請求項１７】  前記周囲環状側壁がまた、前記カバー片が前記第１の位置にあるときに、前記バレルの内側を前記バレルの外側に対して晒すための穴を有し、
前記内側方向に向いた部分がはずすことができ、前記カバー片を前記バレル上で前記穴を閉じる前記第２のロック位置にまで押されることを可能にする請求項１６に記載の容器。
【請求項１８】  前記ルアーロックフィッティングが周囲にネジ形状を有するメス型ルアーロックノズルを含む請求項１５に記載の容器。
【請求項１９】  前記バレルがガラスのバイアルを含む請求項１５に記載の容器。
【請求項２０】  前記バレルがガラスのボトルを含む請求項１５に記載の容器。